(57)【要約】【課題】安全運転を阻害することなく、車載装置に表示された投稿情報の内容を一見して把握することを課題とする。【解決手段】車載用表示装置は、通信装置と車載機とを有する。通信装置は、投稿情報と当該投稿情報の投稿先を示す位置情報とを取得する。続いて、通信装置は、投稿情報とともに取得された位置情報によって特定される位置に、投稿情報を表示させた地図データを生成する。さらに、通信装置は、生成された地図データに表示される投稿情報について、当該投稿情報が投稿されてから取得されるまでの経過時間と当該投稿情報が属するカテゴリとに基づいて、当該投稿情報を地図データ上に表示させる表示手法を変更する。その後、通信装置は、投稿情報の表示手法を変更した地図データを車載機に送信する。車載機では、受信した地図データを液晶モニタ等に表示する。【選択図】図２
2011247832.tif 000002
【特許請求の範囲】
【請求項１】
車両に搭載され、
サーバに投稿された投稿情報を取得する情報取得部によって取得された投稿情報を、当該投稿情報が投稿されてから前記情報取得部によって取得されるまでの経過時間と当該投稿情報が属するカテゴリとに基づいて変更される表示手法で表示する表示部、
を有することを特徴とする車載用表示装置。
【請求項２】
前記情報取得部は、前記投稿情報の投稿先を示す位置情報を取得し、
前記表示部は、前記情報取得部によって取得された位置情報に基づいて特定される地図データの位置における前記投稿情報の表示数に基づいて前記表示手法を変更して、前記投稿情報を表示することを特徴とする請求項１に記載の車載用表示装置。
【請求項３】
前記情報取得部は、前記投稿情報の投稿先を示す位置情報を取得し、
前記表示部は、前記情報取得部によって取得された位置情報に基づいて特定される地図データの位置における前記投稿情報が連続して表示される回数に基づいて前記表示手法を変更して、前記投稿情報を表示することを特徴とする請求項１に記載の車載用表示装置。
【請求項４】
前記情報取得部は、前記投稿情報の投稿先を示す位置情報を取得し、
前記表示部は、前記情報取得部によって取得された位置情報に基づいて特定される地図データの位置に表示される投稿情報に対する反応状況に基づいて前記表示手法を変更して、前記投稿情報を表示することを特徴とする請求項１に記載の車載用表示装置。
【請求項５】
前記表示部は、前記車両の位置情報、現在の時刻情報、現在の天気情報、現在の季節情報、前記自車両の運転者に関するプロフィールの少なくとも一つに基づいて前記表示手法を変更して、前記投稿情報を表示することを特徴とする請求項１に記載の車載用表示装置。
【請求項６】
前記表示部は、地図データ上に所定数以上の投稿情報が表示されている場合には、前記投稿情報の表示数が前記所定数未満になるように、前記地図データへの表示対象とする前記経過時間の閾値を変更して、前記投稿情報を表示することを特徴とする請求項１に記載の車載用表示装置。
【請求項７】
前記投稿情報は、選択可能に前記表示部に表示され、
前記表示部によって表示される地図データ上の前記投稿情報が選択された場合に、前記車両の現在位置から当該選択された投稿情報までの走行経路を提示する経路提示部をさらに有することを特徴とする請求項１〜６のいずれか一つに記載の車載用表示装置。
【請求項８】
サーバに投稿された投稿情報を表示装置に表示する表示方法であって、
前記投稿情報と当該投稿情報の投稿先を示す位置情報とを取得する情報取得ステップと、
前記情報取得ステップによって投稿情報とともに取得された位置情報によって特定される位置に、前記投稿情報を表示させた地図データを生成する地図生成ステップと、
前記地図生成ステップによって生成された地図データに表示される投稿情報について、当該投稿情報が投稿されてから前記情報取得ステップによる取得されるまでの経過時間と当該投稿情報が属するカテゴリとに基づいて、当該投稿情報を地図データ上に表示させる表示手法を変更する表示変更ステップと、
を含んだことを特徴とする表示方法。
【発明の詳細な説明】
【技術分野】
【０００１】
本発明は、車載用表示装置および表示方法に関する。
【背景技術】
【０００２】
従来、カーナビゲーションなどの車載装置は、ラジオ電波を用いたＶＩＣＳ（Vehicle  Information  and  Communication  System）やＲＤＳ（Radio  Data  System）などによってリアルタイムに得た情報をディスプレイに表示することを実施している。また、車載装置は、ブルートゥース（登録商標）などを用いた無線通信によってインターネット上のセンターから取得したリアルタイム情報や配信型プローブで取得したリアルタイム情報をディスプレイに表示することも実施している。
【０００３】
近年の車載装置では、位置情報とブログとを対応付けたアイコンや音声メッセージなどを地図上に表示することも実施されている。例えば、ユーザは、車載装置のタッチパネルを操作して位置情報とともにブログ記事を投稿したり、携帯電話を用いて位置情報付き音声メッセージやブログ記事を投稿したりする。そして、これらの投稿を受信した車載装置は、受信した位置情報によって特定される地図上の位置に、受信されたブログ記事などの投稿情報をアイコンで表示する。
【０００４】
また、車載装置は、ユーザによってアイコンが選択されると、投稿されたブログ記事のサイトを表示したり、選択されたアイコンに付随する音声メッセージを出力したりする。また、車載装置は、同一位置に複数の投稿があった場合には、アイコンの形状や色等を変化させて同時に複数の投稿を表示し、いずれかのアイコンが選択されると、選択された位置近辺の投稿一覧を表示してそれぞれの投稿を選択できるようにする。また、車載装置は、特定の項目のみを表示するような表示制限を実施することもできる。
【０００５】
最近では、スマートフォン、携帯電話、パーソナルコンピュータなどの情報通信機器を用いて、リアルタイムに情報共有ができるツイッター（登録商標）などのオープンツール（サービス）が普及している。例えば、ユーザは、ツイッター（登録商標）を起動して「ツイート」といわれる所定文字数内の短文を投稿し、その投稿に対する他人の返事を参照したりして、他人とコミュニケーションを図る。また、ツイッター（登録商標）には、位置情報に関するＡＰＩ（Application  Program  Interface）も公開されており、地域単位や位置に関連性のある情報を発信することもできる。
【先行技術文献】
【特許文献】
【０００６】
【特許文献１】特開２００７−２７８８０７号公報
【発明の概要】
【発明が解決しようとする課題】
【０００７】
しかしながら、従来技術では、ユーザが車載装置に表示された投稿情報の内容を一見して把握することができず、投稿情報の閲覧や投稿が安全運転に悪影響を及ぼす恐れがあるという課題があった。
【０００８】
具体的には、従来の車載装置は、リアルタイムで取得したブログ記事やツイートなどの投稿情報を全て画面上に表示するので、運転者などのユーザは、車載装置に表示された膨大な投稿情報それぞれの内容を一見して把握することができない。このため、運転者は、投稿情報の内容を閲覧するために車載装置を操作するなどわき見運転をしなければならず、運転に集中できない状態が発生し安全運転に悪影響がある。また、運転者は、車載装置を直接操作して投稿情報を投稿する必要があり、この場合も運転に集中できない状態が発生し安全運転に悪影響がある。このように、運転中に複雑な操作をドライバーに求めるのは好ましくない。
【０００９】
一方、安全運転の確保を考慮した場合、運転を終えた後に、車載装置に表示される投稿情報を閲覧したり、投稿情報を投稿したりすることも考えられる。ところが、これらの場合、運転を終えた頃には情報が古いものとなってしまい、リアルタイム性が損なわれ、有益な情報をリアルタイムに発信することができず、ブログやツイッター（登録商標）などの有効性を活用することができない。
【００１０】
開示の技術は、上記に鑑みてなされたものであって、安全運転を阻害することなく、車載装置に表示された投稿情報の内容を一見して把握することが可能である車載用表示装置および表示方法を提供することを目的とする。
【課題を解決するための手段】
【００１１】
本願の開示する車載用表示装置および表示方法は、一つの態様において、車両に搭載され、サーバに投稿された投稿情報を取得する情報取得部によって取得された投稿情報を、当該投稿情報が投稿されてから前記情報取得部による取得されるまでの経過時間と当該投稿情報が属するカテゴリとに基づいて変更される表示手法で表示する表示部、を有することを特徴とする。
【発明の効果】
【００１２】
本願の開示する車載用表示装置および表示方法の一つの態様によれば、安全運転を阻害することなく、車載装置に表示された投稿情報の内容を一見して把握することが可能であるという効果を奏する。
【図面の簡単な説明】
【００１３】
【図１】図１は、実施例１にかかる車載用表示装置を含むシステムの全体構成を示す図である。
【図２】図２は、車載用表示装置の構成を示すブロック図である。
【図３】図３は、カテゴリＤＢに記憶される情報の例を示す図である。
【図４】図４は、カテゴリＤＢに記憶されるアーカイブ条件の例を示す図である。
【図５】図５は、投稿情報ＤＢに記憶される情報の例を示す図である。
【図６】図６は、通信装置と車載装置との投稿連携における初期画面である。
【図７】図７は、通信装置と車載装置との投稿連携で表示される画面例である。
【図８】図８は、投稿情報の詳細情報を表示した例を示す図である。
【図９】図９は、投稿情報の一覧を表示した例を示す図である。
【図１０】図１０は、通信装置における投稿連携開始処理の流れを示すフローチャートである。
【図１１】図１１は、通信装置における投稿情報表示処理の流れを示すフローチャートである。
【図１２】図１２は、通信装置における投稿情報選択時の処理の流れを示すフローチャートである。
【図１３】図１３は、実施例３にかかる車載用表示装置を含むシステムの全体構成を示す図である。
【発明を実施するための形態】
【００１４】
以下に、本願の開示する車載用表示装置および表示方法の実施例を図面に基づいて詳細に説明する。なお、この実施例によりこの発明が限定されるものではない。
【実施例１】
【００１５】
［全体構成］
図１は、実施例１にかかる車載用表示装置を含むシステムの全体構成を示す図である。図１に示すように、このシステムは、ツイッターサーバ１と音声合成サーバ２と地図サーバ３と音声認識サーバ４と、自動車等の車内１０に設置される車載用表示装置１１とを有する。なお、本実施例では、投稿情報としてツイッター（登録商標）を用いた例で説明するが、これに限定されるものではなく、例えばブログ、簡易メール、ＳＮＳ（Social  Network  Service）などの投稿サービスを用いることもできる。
【００１６】
ツイッターサーバ１は、ユーザＩＤによって識別される個々のユーザが携帯電話などを用いて投稿したツイートなどの投稿情報を記憶する投稿情報サーバである。また、ツイッターサーバ１は、投稿された情報に音声データが付加されている場合には、付加されている音声データを音声合成サーバ２に格納する。また、ツイッターサーバ１は、投稿された情報に地図データが付加されている場合には、付加されている地図データを地図サーバ３に格納する。
【００１７】
そして、ツイッターサーバ１は、ユーザが投稿情報の取得要求を受信した場合に、記憶する投稿情報をユーザの携帯電話に送信する。例えば、ツイッターサーバ１は、前回の取得要求から今回の取得要求の間に蓄積された投稿情報を送信する。この投稿情報の送信手法については、様々な手法を利用できる。例えば、ツイッターサーバ１は、前回の取得要求から今回の取得要求の間に蓄積された投稿情報のうち、ユーザがフォローしている他ユーザ、言い換えると、要求元のユーザが指定したユーザの投稿情報のみを送信するようにしてもよい。また、ツイッターサーバ１は、前回の取得要求から今回の取得要求の間に蓄積された投稿情報のうち、現在のユーザ位置から所定範囲内の位置までの間で投稿された投稿情報のみを送信するようにしてもよい。
【００１８】
音声合成サーバ２は、ツイッターサーバ１に投稿された情報と当該情報に付加された音声データとを合成するサーバである。例えば、音声合成サーバ２は、ツイッターサーバ１から投稿情報を識別する識別子等とともに音声データを受信し、これらを対応付けて記憶する。そして、音声合成サーバ２は、ツイッターサーバ１から取得された投稿情報に付加されている音声データの取得要求をユーザから受け付ける。すると、音声合成サーバ２は、当該取得要求に含まれる識別子等によって音声データを特定し、特定した音声データをユーザに送信する。
【００１９】
地図サーバ３は、ツイッターサーバ１に投稿された情報と当該情報に付加された地図データとを合成するサーバである。例えば、地図サーバ３は、ツイッターサーバ１から投稿情報を識別する識別子等とともに地図データを受信し、これらを対応付けて記憶する。そして、地図サーバ３は、ツイッターサーバ１から取得された投稿情報に付加されている地図データの取得要求をユーザから受け付ける。すると、地図サーバ３は、当該取得要求に含まれる識別子等によって地図データを特定し、特定した地図データをユーザに送信する。
【００２０】
音声認識サーバ４は、ユーザの音声を理解して、つぶやき（テキスト）に変換し、ツイッターサーバ１に送信するサーバである。したがって、ユーザは、携帯端末等で情報を生成した上でしか投稿できないわけではなく、音声を音声認識サーバ４に送信するだけで、投稿することができる。このように、音声を認識して投稿することにより、ドライバーに対し、複雑な操作を求めることがなくなり、安全運転が確保される。
【００２１】
なお、本実施例では、ツイッターサーバ１、音声合成サーバ２、地図サーバ３、音声認識サーバ４が別々の筐体で実現されている例を図示しているが、これに限定されるものではなく、例えば、ツイッターサーバ１、音声合成サーバ２、地図サーバ３、音声認識サーバ４が１つの筐体で実現されていてもよい。
【００２２】
車載用表示装置１１は、車内１０に設置される装置であり、通信装置２０と車載機５０とを有する。なお、車載用表示装置１１は、通信装置２０と車載機５０とが別々の筐体で実現されている例を図示しているが、これに限定されるものではなく、例えば通信装置２０と車載機５０とが１つの筐体で実現されていてもよい。
【００２３】
通信装置２０は、Ｗｅｂやインターネットに接続可能な携帯電話、パーソナルコンピュータ、スマートフォンなどの通信装置であり、無線通信やＵＳＢ（Universal  Serial  Bus）などを用いて車載機５０と接続される。この通信装置２０は、投稿情報、音声データ、地図データなどの各種データを車載機５０に出力し、車載機５０のタッチパネル等でユーザが操作した内容にしたがって各種処理を実行する。
【００２４】
車載機５０は、タッチパネルやディスプレイなどの液晶モニタを有するとともに、表示機能やオーディオ再生機能、携帯端末との通信機能といった基礎的な機能のみを実装し、通信装置２０と連携することで多機能化するＤＡ（Display  Audio）である。したがって、本実施例で用いる車載機５０は、近年、車両に搭載される高精度な車載装置などに比べて安価な装置であり、普及が期待できる装置である。
【００２５】
なお、本願が開示する車載機５０は、必ずしもＤＡである必要はなく、ナビゲーション機能などを備えた高精度な車載装置であってもよい。この場合、地図を除くデータ（投稿内容、位置情報）が車載機５０に送信され、車載機５０が、ローカルに記憶する地図データに投稿内容を表示させる。
【００２６】
この車載機５０は、通信装置２０から受信した投稿情報や地図データを液晶モニタに表示し、通信装置２０から受信した音声データをスピーカーから音声出力する。また、車載機５０は、表示パネルでユーザが操作した情報として、操作位置を示す座標などの位置情報を通信装置２０に送信する。
【００２７】
［車載用表示装置の構成］
次に、図２を用いて、図１に示した車載用表示装置の構成を説明する。図２は、車載用表示装置の構成を示すブロック図である。図２に示すように、車載用表示装置１１は、ツイッターサーバ１と接続され、通信装置２０と車載機５０とを有するので、ここでは、通信装置２０と車載機５０とのそれぞれについて説明する。
【００２８】
（ツイッターサーバ１の構成）
ツイッターサーバ１は、図２に示すように、カテゴリＤＢ（DataBase）１ａと、投稿情報ＤＢ１ｂと、アーカイブＤＢ１ｃと、投稿情報制御部１ｄとを有する。
【００２９】
カテゴリＤＢ１ａは、投稿情報のカテゴリと投稿されてからの経過時間とに対応付けて、当該カテゴリの表示手法を記憶する。図３は、カテゴリＤＢに記憶される情報の例を示す図である。図３に示すように、カテゴリＤＢ１ａは、「番号、タグ、分類カテゴリ、経過時間、表示手法」を対応付けて記憶する。ここで記憶される「番号」は、カテゴリに記憶されるレコードの識別子であり、「タグ」は、ツイートなどの投稿情報に含まれるハッシュタグを示す。「分類カテゴリ」は、投稿情報が分類されるカテゴリを示し、「経過時間」は、投稿情報が投稿されてから、投稿情報取得部２９から取得要求を受信するまでの経過時間を示し、「表示手法」は、投稿情報を車載機５０に表示する際の形式や色を示す。
【００３０】
図３に示す番号「１〜５」には、「タグ＝＃Tra」を有する投稿情報が「分類カテゴリ＝交通／Traffic」に分類され、「経過時間」によって「表示手法」が決定されることを示す。例えば、番号が「１」の「タグ＝＃Tra、分類＝交通／Traffic、経過時間＝５分以内」の投稿情報は、「吹き出し型のローズ色のアイコン」で地図データ上に表示される。同様に、番号が「２」の「タグ＝＃Tra、分類＝交通／Traffic、経過時間＝３０分以内」の投稿情報は、「吹き出し型のピンク色のアイコン」で地図データ上に表示される。番号が「３」の「タグ＝＃Tra、分類＝交通／Traffic、経過時間＝１時間未満」の投稿情報は、「赤色の一般的なアイコン」で地図データ上に表示される。番号が「４」の「タグ＝＃Tra、分類＝交通／Traffic、経過時間＝１２時間未満」の投稿情報は、「濃い赤色の一般的なアイコン」で地図データ上に表示される。番号が「５」の「タグ＝＃Tra、分類＝交通／Traffic、経過時間＝１２時間以上」の投稿情報は、地図データ上に表示されずに「削除」される。
【００３１】
すなわち、「タグ＝＃Tra」を有する「交通／Traffic」にカテゴライズされる投稿情報は、ツイッターサーバ１に投稿されてから車載用表示装置１１に取得されるまでの経過時間が短いほど、明るい赤系の色で表示され、経過時間が長いほど、暗い赤系の色で表示されるように、グラデーションで表示される。
【００３２】
また、図３に示す番号「６〜１０」には、「タグ＝＃Wea」を有する投稿情報が「分類カテゴリ＝天気／Weather」に分類され、「経過時間」によって「表示手法」が決定されることを示す。例えば、番号が「６」の「タグ＝＃Wea、分類＝天気／Weather、経過時間＝５分以内」の投稿情報は、「吹き出し型のラベンダー色のアイコン」で地図データ上に表示される。同様に、番号が「７」の「タグ＝＃Wea、分類＝天気／Weather、経過時間＝３０分以内」の投稿情報は、「吹き出し型のプラム色のアイコン」で地図データ上に表示される。番号が「８」の「タグ＝＃Wea、分類＝天気／Weather、経過時間＝１時間未満」の投稿情報は、「紫色の一般的なアイコン」で地図データ上に表示される。番号が「９」の「タグ＝＃Wea、分類＝天気／Weather、経過時間＝１２時間未満」の投稿情報は、「濃い紫色の一般的なアイコン」で地図データ上に表示される。番号が「１０」の「タグ＝＃Wea、分類＝天気／Weather、経過時間＝１２時間以上」の投稿情報は、地図データ上に表示されずに「削除」される。
【００３３】
すなわち、「タグ＝＃Wea」を有する「天気／Weather」にカテゴライズされる投稿情報は、ツイッターサーバ１に投稿されてから車載用表示装置１１に取得されるまでの経過時間が短いほど、明るい紫系の色で表示され、経過時間が長いほど、暗い紫系の色で表示されるように、グラデーションで表示される。
【００３４】
また、図３に示す番号「１１〜１５」には、「タグ＝＃Sce」を有する投稿情報が「分類カテゴリ＝シーン／Scene」に分類され、「経過時間」によって「表示手法」が決定されることを示す。例えば、番号が「１１」の「タグ＝＃Sce、分類＝シーン／Scene、経過時間＝５分以内」の投稿情報は、「吹き出し型の明るい緑色のアイコン」で地図データ上に表示される。同様に、番号が「１２」の「タグ＝＃Sce、分類＝シーン／Scene、経過時間＝３０分以内」の投稿情報は、「吹き出し型のシーグリーン色のアイコン」で地図データ上に表示される。番号が「１３」の「タグ＝＃Sce、分類＝シーン／Scene、経過時間＝１時間未満」の投稿情報は、「緑色の一般的なアイコン」で地図データ上に表示される。番号が「１４」の「タグ＝＃Sce、分類＝シーン／Scene、経過時間＝１２時間未満」の投稿情報は、「濃い緑色の一般的なアイコン」で地図データ上に表示される。番号が「１５」の「タグ＝＃Sce、分類＝シーン／Scene、経過時間＝１２時間以上」の投稿情報は、地図データ上に表示されずに「削除」される。
【００３５】
すなわち、「タグ＝＃Sce」を有する「シーン／Scene」にカテゴライズされる投稿情報は、ツイッターサーバ１に投稿されてから車載用表示装置１１に取得されるまでの経過時間が短いほど、明るい緑系の色で表示され、経過時間が長いほど、暗い緑系の色で表示されるように、グラデーションで表示される。
【００３６】
また、図３に示す番号「１６〜２０」には、「タグ＝＃Cus」を有する投稿情報が「分類カテゴリ＝カスタム／Custom」に分類され、「経過時間」によって「表示手法」が決定されることを示す。例えば、番号が「１６」の「タグ＝＃Cus、分類＝カスタム／Custom、経過時間＝５分以内」の投稿情報は、「吹き出し型の黄色のアイコン」で地図データ上に表示される。同様に、番号が「１７」の「タグ＝＃Cus、分類＝カスタム／Custom、経過時間＝３０分以内」の投稿情報は、「吹き出し型のオレンジ色のアイコン」で地図データ上に表示される。番号が「１８」の「タグ＝＃Cus、分類＝カスタム／Custom、経過時間＝１時間未満」の投稿情報は、「ベージュ色の一般的なアイコン」で地図データ上に表示される。番号が「１９」の「タグ＝＃Cus、分類＝カスタム／Custom、経過時間＝１２時間未満」の投稿情報は、「茶色の一般的なアイコン」で地図データ上に表示される。番号が「２０」の「タグ＝＃Cus、分類＝カスタム／Custom、経過時間＝１２時間以上」の投稿情報は、地図データ上に表示されずに「削除」される。
【００３７】
すなわち、「タグ＝＃Cus」を有する「カスタム／Custom」にカテゴライズされる投稿情報は、ツイッターサーバ１に投稿されてから車載用表示装置１１に取得されるまでの経過時間が短いほど、明るい黄系の色で表示され、経過時間が長いほど、暗い黄系の色で表示されるように、グラデーションで表示される。
【００３８】
また、図３に示す番号「２１〜２５」には、「タグ＝＃Inf」を有する投稿情報が「分類カテゴリ＝お知らせ／Information」に分類され、「経過時間」によって「表示手法」が決定されることを示す。例えば、番号が「２１」の「タグ＝＃Inf、分類＝お知らせ／Information、経過時間＝５分以内」の投稿情報は、「吹き出し型のスカイブルー色のアイコン」で地図データ上に表示される。同様に、番号が「２２」の「タグ＝＃Inf、分類＝お知らせ／Information、経過時間＝３０分以内」の投稿情報は、「吹き出し型の薄い青色のアイコン」で地図データ上に表示される。番号が「２３」の「タグ＝＃Inf、お知らせ／Information、経過時間＝１時間未満」の投稿情報は、「青色の一般的なアイコン」で地図データ上に表示される。番号が「２４」の「タグ＝＃Inf、分類＝お知らせ／Information、経過時間＝１２時間未満」の投稿情報は、「群青色の一般的なアイコン」で地図データ上に表示される。番号が「２５」の「タグ＝＃Inf、分類＝お知らせ／Information、経過時間＝１２時間以上」の投稿情報は、地図データ上に表示されずに「削除」される。
【００３９】
すなわち、「タグ＝＃Inf」を有する「お知らせ／Information」にカテゴライズされる投稿情報は、ツイッターサーバ１に投稿されてから車載用表示装置１１に取得されるまでの経過時間が短いほど、明るい青系の色で表示され、経過時間が長いほど、暗い青系の色で表示されるように、グラデーションで表示される。
【００４０】
また、カテゴリＤＢ１ａは、経過時間が長くなっても、削除することなく保存する、言い換えると、アーカイブする条件を記憶する。図４は、カテゴリＤＢに記憶されるアーカイブ条件の例を示す図であり、カテゴリごとにアーカイブ対象を特定する構成を示す。図４に示すように、カテゴリＤＢ１ａは、アーカイブ条件として、アーカイブ対象となる「タグ」とアーカイブ対象となる投稿情報の投稿内容を示す「内容」とを対応付けて記憶する。例えば、「タグ、内容」が「＃Tra、渋滞中」である場合には、「タグ＝＃Tra」で「渋滞中」とする投稿情報については、削除せずにアーカイブされることを示す。また、「タグ、内容」が「＃Cus、−」である場合には、「タグ＝＃Cus」とする投稿情報については、投稿内容に関わらず、削除せずにアーカイブされることを示す。
【００４１】
他の実施形態としては、ハッシュタグを用いて、リアルタイムに表示する投稿情報（時間経過に応じて削除するもの）、アーカイブする投稿情報（時間経過によらず保存するもの）を選別してもよい。具体的には、リアルタイムな投稿情報については「＃real」のハッシュタグを付与し、アーカイブする投稿情報については「＃arc」のハッシュタグを付与する。また、「カテゴリ」と「アーカイブ」の選別をハッシュタグで表現する方法としては、「＃Tra−arc」のように、ハイフンarcを付加することで、実現可能となる。
【００４２】
図２に戻り、投稿情報ＤＢ１ｂは、ツイッターサーバ１において取得された投稿情報と当該投稿情報の表示手法を記憶する。図５は、投稿情報ＤＢに記憶される情報の例を示す図である。図５に示すように、投稿情報ＤＢ１ｂは、「投稿日時、タグ、内容、位置情報、動画像、音声、分類結果、経過時間、表示手法」を対応付けて記憶する。なお、投稿情報ＤＢ１ｂに記憶される投稿情報は、経過時間が１日以上のもの、または、ＤＢの容量が所定値未満となった場合など、所定の契機で古い情報から削除される。
【００４３】
ここで記憶される「投稿日時」は、投稿情報が投稿された日時を示し、「タグ」は、ツイートなどの投稿情報に含まれるハッシュタグを示す。「内容」は、投稿された内容、言い換えると、つぶやかれた内容を示し、「位置情報」は、投稿情報の表示位置を示す。また、「動画像」は、投稿情報に付加されている動画像データがあるか否かを示し、ある場合にはファイル名が格納され、ない場合には「−」が格納される。「音声」は、投稿情報に付加されている音声データがあるか否かを示し、ある場合にはファイル名が格納され、ない場合には「−」が格納される。「分類結果」は、後述する地図生成部３０によって分離された結果が格納され、分類できなかった場合には「−」が格納されて表示対象から除外される。「経過時間」は、投稿情報が投稿されてから現在までの経過時間を示し、「表示手法」は、表示変更部３１によって決定された投稿情報の表示手法を示す。
【００４４】
例えば、現在時刻を10:28:00とした上で、図５を用いて具体的に説明する。図５の１行目では、「2010/4/26  10:00:00」に投稿された投稿情報「渋滞中」は、「タグ＝＃Tra」であり、投稿位置を「兵庫県神戸市○○交差点」とし、「111.jpeg」が付加されており、カテゴリ「交通」に分類される。また、この投稿情報「渋滞中」は、投稿されてからの経過時間が「28分」であることから、「吹き出し型のピンク色のアイコン」で表示されることが決定されたことを示す。
【００４５】
また、図５の２行目では、「2010/4/26  10:00:02」に投稿された投稿情報「濃霧で視界不良です。」は、「タグ＝＃Wet」であり、投稿位置を「兵庫県神戸市○○１丁目」とし、いずれのカテゴリにも分類されない。また、この投稿情報「濃霧で視界不良です。」は、いずれのカテゴリにも分類されないことから、地図データに表示されないので、表示手法も決定されないことを示す。
【００４６】
また、図５の３行目では、「2010/4/26  10:26:35」に投稿された投稿情報「いい景色」は、「タグ＝＃Sce」であり、投稿位置を「六甲山××」とし、「夜景.mpeg」が付加されており、カテゴリ「シーン」に分類される。また、この投稿情報「いい景色」は、投稿されてからの経過時間が「1分25秒」であることから、「吹き出し型の明るい緑色のアイコン」で表示されることが決定されたことを示す。
【００４７】
また、図５の４行目では、「2010/4/26  10:27:00」に投稿された投稿情報「今なら１００円／Ｌです！」は、「タグ＝＃III」であり、投稿位置を「兵庫県神戸市○○３丁目」とし、いずれのカテゴリにも分類されない。また、この投稿情報「今なら１００円／Ｌです！」は、いずれのカテゴリにも分類されないことから、地図データに表示されないので、表示手法も決定されないことを示す。
【００４８】
アーカイブＤＢ１ｃは、後述する投稿情報制御部１ｄによってアーカイブすると決定された投稿情報を記憶する。例えば、アーカイブＤＢ１ｃは、投稿情報ＤＢ１ｂに記憶される投稿情報のうち、アーカイブ条件と一致する投稿情報を記憶する。また、時間経過等により「削除する」と決定された場合であっても、アーカイブ条件と一致する投稿情報はアーカイブされる。
【００４９】
また、カテゴリＤＢ１ａと、投稿情報ＤＢ１ｂと、アーカイブＤＢ１ｃそれぞれが記憶する情報は、ユーザ等による通信装置２０や車載機５０の操作によって任意に設定変更することができる。また、カテゴリＤＢ１ａと、投稿情報ＤＢ１ｂと、アーカイブＤＢ１ｃのそれぞれは、例えばＲＡＭ（Random  Access  Memory）などの半導体メモリ素子やハードディスクなどの記憶装置である。また、図３に示す「タグ」と「分類カテゴリ」と「表示手法」とのそれぞれは任意に設定でき、それぞれの組み合わせも任意に設定できる。つまり、ユーザは、どのような「タグ」をどのような「カテゴリ」に分類して、どのように表示させるかを任意に設定できる。
【００５０】
投稿情報制御部１ｄは、投稿情報の受信および送信を制御する。例えば、投稿情報制御部１ｄは、ユーザの携帯電話等から投稿情報を受信した場合に、当該投稿情報として「投稿日時、タグ、内容、位置情報、動画像、音声」として「2010/05/11  12:00:15、＃Tra、渋滞中、東京都○○、渋滞.mpeg、音声あり」から構成される投稿情報を取得する。なお、ここで取得される「投稿日時、タグ、内容、位置情報、動画像、音声」は、図５と同様なので、詳細な説明は省略する。この時点では、投稿情報ＤＢ１ｂには、投稿情報自体に含まれる「投稿日時、タグ、内容、位置情報、動画像、音声」のみが格納され、「分類結果、経過時間、表示手法」については未格納である。
【００５１】
その後、投稿情報制御部１ｄは、通信装置２０から投稿情報の取得要求を受信した場合に、要求受信時間（現在時刻）と投稿情報が投稿された時間とから「経過時間」を算出して投稿情報ＤＢ１ｂに格納する。さらに、投稿情報制御部１ｄは、投稿情報ＤＢ１ｂの各レコードについて、「タグ」に対応する「表示手法」と「カテゴリ」とをカテゴリＤＢ１ａから特定して、投稿情報ＤＢ１ｂに格納する。そして、投稿情報制御部１ｄは、投稿情報ＤＢ１ｂにおいて「表示手法」と「カテゴリ」が「−」でない投稿情報を通信装置２０に送信する。
【００５２】
例えば、現在時刻が「2010/4/26  12:00:00」であり、投稿情報「2010/4/26  11:58:00、＃Inf、安全運転、山陽道○○インター付近、動画像なし、音声なし」の表示手法の決定例を説明する。この場合、投稿情報制御部１ｄは、投稿情報の「ハッシュタグ＝＃Inf」と一致するタグをカテゴリＤＢ１ａから検索する。そして、投稿情報制御部１ｄは、「ハッシュタグ＝＃Inf」に一致するタグが存在するので、このタグ「＃Inf」に対応するカテゴリを「お知らせ」と特定する。続いて、投稿情報制御部１ｄは、現在時刻「2010/4/26  12:00:00」と投稿情報「2010/4/26  11:58:00」との差分から、経過時間が「2分」であると算出する。そして、投稿情報制御部１ｄは、カテゴリＤＢ１ａを参照し、カテゴリ「お知らせ」と「経過時間「2分」とを満たす「表示手法」が「吹き出し型のスカイブルー色のアイコン」であると特定する。
【００５３】
この結果、投稿情報制御部１ｄは、投稿情報「2010/4/26  11:58:00、＃Inf、安全運転、山陽道○○インター付近、動画像なし、音声なし」にカテゴリ「お知らせ」、経過時間「2分」、表示手法「アイコン（吹き出し）、スカイブルー」を対応付けて投稿情報ＤＢ１ｂに格納する。
【００５４】
また、現在時刻が「2010/4/26  12:00:00」であり、投稿情報「2010/4/26  11:15:00、＃XXX、楽しいよ〜、山口県○○、動画像なし、音声なし」の表示手法の決定例を説明する。この場合、投稿情報制御部１ｄは、投稿情報の「ハッシュタグ＝＃XXX」と一致するタグをカテゴリＤＢ１ａから検索する。そして、投稿情報制御部１ｄは、「ハッシュタグ＝＃XXX」に一致するタグが存在しないので、このタグ「＃XXX」に対応するカテゴリを「−」と決定する。この結果、投稿情報制御部１ｄは、「2010/4/26  11:15:00、＃XXX、楽しいよ〜、山口県○○、動画像なし、音声なし」にカテゴリ「−」、経過時間「−」、表示手法「−」を対応付けて投稿情報ＤＢ１ｂに格納する。
【００５５】
なお、投稿情報制御部１ｄは、通信装置２０から投稿情報の取得要求を受信した場合に、投稿情報ＤＢ１ｂに格納された投稿情報全てについて上記処理を実行する。したがって、投稿情報制御部１ｄは、投稿情報ＤＢ１ｂに２００個の投稿情報が格納されている場合には、２００個の投稿情報それぞれについて、上記処理を実施して投稿情報ＤＢ１ｂの更新および地図データ上の表示変更を実施する。
【００５６】
（通信装置の構成）
通信装置２０は、入出力インタフェース２１と、ＧＰＳ（Global  Positioning  System）２２と、カメラ２３と、マイク２４と、メモリ２５と、を有する。また、通信装置２０は、投稿連携起動部２８と、投稿情報取得部２９と、地図生成部３０と、表示変更部３１と、操作特定部３２と、情報編集部３３とを有する。
【００５７】
なお、ここに示した各機能部やＤＢは、あくまで例示であり、通信装置２０の機能がこれに限定されるものではない。例えば、上記機能部以外にも、通話機能やＷｅｂ通信機能等を有しており、また、ディスプレイ等を有している。また、ツイッターサーバ１が有しているカテゴリＤＢ１ａと、投稿情報ＤＢ１ｂと、アーカイブＤＢ１ｃとを通信装置２０が有していてもよい。
【００５８】
入出力インタフェース２１は、車載機５０と連携接続するインタフェースであり、例えばＵＳＢなどの有線通信、赤外線やブルートゥース（登録商標）などの近距離無線通信などの通信で車載機５０と接続する。例えば、入出力インタフェース２１は、投稿情報や地図データなどが圧縮されたＪＰＥＧ（Joint  Photographic  Experts  Group）形式の画像データ、ＭＰＥＧ（Moving  Picture  Experts  Group）形式の動画データや音声データを車載機５０に送信する。また、入出力インタフェース２１は、ユーザが操作した操作位置を示す座標などを車載機５０から受信する。
【００５９】
ＧＰＳ２２は、ＧＰＳ衛星と通信するＧＰＳ送受信機能を有し、車両の現在位置を取得する。例えば、ＧＰＳ２２は、各制御部から位置情報取得指示を受信した場合に、ＧＰＳ衛星と通信して取得した現在位置をメモリ等の記憶部に格納する。
【００６０】
カメラ２３は、車内や車外などに設置され、画像や動画を撮影する。例えば、カメラ２３は、後述する操作特定部３２や情報編集部３３から撮影指示を受信した場合に、動画または画像を撮影してメモリ等の記憶部に格納し、撮影したデータを操作特定部３２や情報編集部３３に出力する。マイク２４は、車内や車外などに設置され、音声を録音する。例えば、マイク２４は、後述する操作特定部３２や情報編集部３３から録音指示を受信した場合に、音声を録音してメモリ等の記憶部に格納し、録音した音声データを操作特定部３２や情報編集部３３に出力する。なお、マイク２４は、携帯電話の場合には、受話口であってもよく、別途接続されていてもよい。メモリ２５は、投稿情報取得部２９によってツイッターサーバ１から取得された投稿情報を記憶する。
【００６１】
図２に戻り、投稿連携起動部２８は、投稿情報を車載機５０に表示する投稿連携を実施する。例えば、投稿連携起動部２８は、入出力インタフェース２１と車載機５０とがＵＳＢなどで接続されたことを検出すると、通信装置２０における投稿連携の初期画面（メインメニュー）の画像データを生成して、車載機５０に出力する。続いて、投稿連携起動部２８は、接続された車載機５０のディスプレイ等の解像度や大きさを取得する。そして、投稿連携起動部２８は、車載機５０の表示パネル５２の座標と、初期画面の画像データにおける座標とを対応付けてメモリ等に記憶する。この結果、通信装置２０は、車載機５０の表示パネル５２で操作された位置が通信装置２０のディスプレイ上のどの位置に対応するかを特定することができる。したがって、通信装置２０は、車載機５０から受信した座標から、ユーザが操作した操作内容を特定することができる。
【００６２】
また、投稿連携を実施する別手法としては、投稿連携起動部２８は、通信装置２０のディスプレイに表示される、例えば「TwitDrive」など投稿連携を示すアイコンがユーザにより選択されたことを受け付ける。すると、投稿連携起動部２８は、入出力インタフェース２１を制御して、車載機５０と無線接続を開始するようにしてもよい。
【００６３】
投稿情報取得部２９は、ツイッターサーバ１の投稿情報制御部１ｄを介して、カテゴリＤＢ１ａ、投稿情報ＤＢ１ｂ、アーカイブＤＢ１ｃから、ユーザが投稿した投稿情報と当該投稿情報の投稿先を示す位置情報と表示手法等を取得する。具体的には、投稿情報取得部２９は、車載機５０で投稿情報の取得要求操作がされたことを操作特定部３２から受信した場合、ツイッターサーバ１に接続して投稿情報を取得する。そして、投稿情報取得部２９は、取得した投稿情報をメモリ２５に格納するとともに、取得したことを地図生成部３０に出力する。
【００６４】
一例としては、投稿情報取得部２９は、投稿情報として「投稿日時、タグ、内容、位置情報、動画像、音声、分類結果、経過時間、表示手法」として「2010/05/11  12:00:15、＃Tra、渋滞中、東京都○○、渋滞.mpeg、音声あり、交通、２分、アイコン（吹き出し）／ピンク」から構成される投稿情報を取得する。なお、ここで取得される「投稿日時、タグ、内容、位置情報、動画像、音声、分類結果、経過時間、表示手法」は、図５と同様なので、詳細な説明は省略する。
【００６５】
別の手法としては、投稿情報取得部２９は、例えば１秒ごとなど所定契機で「タグ」をツイッターサーバ１に送信し、当該「タグ」有する投稿情報を取得する。そして、投稿情報取得部２９は、取得した投稿情報をメモリ２５に格納するとともに、取得したことを地図生成部３０に通知する。
【００６６】
具体的に説明すると、投稿情報取得部２９は、取得契機に到達すると、表示させたい「タグ」である「＃Tra、＃Tra_ARC、＃Wea、＃Sce、＃Cus、＃Cus_ARC、＃Inf」をツイッターサーバ１に送信する。ツイッターサーバ１は、自装置内で記憶する投稿情報、言い換えると、全ユーザから投稿された投稿情報のうち、受信した「＃Tra、＃Tra_ARC、＃Wea、＃Sce、＃Cus、＃Cus_ARC、＃Inf」を有する投稿情報を投稿情報ＤＢ１ｂから取得して、通信装置２０に送信する。このようにして、投稿情報取得部２９は、ユーザが欲する投稿情報のみを取得することができる。
【００６７】
地図生成部３０は、投稿情報取得部２９によって投稿情報とともに取得された位置情報によって特定される位置に、投稿情報を表示させた地図データを生成する。例えば、地図生成部３０は、当該車載用表示装置１１の現在位置をＧＰＳ２２によって取得し、取得した現在位置に対応する地図データを地図サーバ３から取得する。このとき、地図生成部３０は、例えばｊｐｅｇ形式で地図データを取得する。続いて、地図生成部３０は、ＧＰＳ２２で取得した位置情報付近の位置情報を有する投稿情報をメモリ２５から特定する。その後、地図生成部３０は、読み出した投稿情報に付加される位置情報に基づいて投稿情報の投稿位置を特定し、地図サーバ３から取得した地図データ上に、投稿情報を付加する。地図生成部３０は、このようにして生成した、投稿情報が付加された地図データを表示変更部３１に出力する。
【００６８】
また、地図生成部３０は、メモリ２５に格納される投稿情報のうち、「タグ」が「＊＊＊−arc（＊＊＊は任意）」となっている投稿情報を別のＤＢに格納することもできる。この結果、ユーザが保存しておきたい投稿情報を削除することなく、半永久的に車両内で保存することができる。また、地図生成部３０は、ユーザが別のＤＢに記憶される投稿情報の表示操作を行った場合には、別のＤＢに記憶される投稿情報を上記手法と同様の手法で、地図データに表示することができる。
【００６９】
表示変更部３１は、地図生成部３０によって生成された地図データに表示される投稿情報について、定められた表示手法で、当該投稿情報を地図データ上に表示変更する。
【００７０】
例えば、表示変更部３１は、地図生成部３０によって生成された地図データに表示される投稿情報の「表示手法」をメモリ２５から特定する。そして、表示変更部３１は、地図生成部３０によって生成された地図データに表示される投稿情報の表示を、ツイッターサーバ１によって特定された「表示手法」（メモリ２５に格納される投稿情報から特定できる）に基づいて変更する。なお、表示変更部３１は、メモリ２５に記憶される全ての投稿情報について、上述した処理を実行し、１つの地図データに投稿情報各々が表示されている新たな地図データをＪＰＥＧ形式で生成する。そして、表示変更部３１は、生成した新たなＪＰＥＧ形式の地図データを車載機５０に出力する。
【００７１】
つまり、表示変更部３１は、「タグ＝＃Tra、分類カテゴリ＝交通」となる投稿情報については、経過時間が短いものほど、明るい赤系の色で表示され、経過時間が長いほど、暗い赤系の色で表示されるように、表示手法を変更する。また、表示変更部３１は、「タグ＝＃Wea、分類カテゴリ＝天気」となる投稿情報については、経過時間が短いものほど、明るい紫系の色で表示され、経過時間が長いほど、暗い紫系の色で表示されるように、表示手法を変更する。また、表示変更部３１は、「タグ＝＃Sce、分類カテゴリ＝シーン」となる投稿情報については、経過時間が短いものほど、明るい緑系の色で表示され、経過時間が長いほど、暗い緑系の色で表示されるように、表示手法を変更する。また、表示変更部３１は、「タグ＝＃Cus、分類カテゴリ＝カスタム」となる投稿情報については、経過時間が短いものほど、明るい黄系の色で表示され、経過時間が長いほど、暗い黄系の色で表示されるように、表示手法を変更する。また、表示変更部３１は、「タグ＝＃Inf、分類カテゴリ＝お知らせ」となる投稿情報については、経過時間が短いものほど、明るい青系の色で表示され、経過時間が長いほど、暗い青系の色で表示されるように、表示手法を変更する。
【００７２】
また、表示変更部３１は、いずれのカテゴリにも分類されない投稿情報や、「経過時間」が「12時間以上」である投稿情報については、地図データから削除する。このとき、表示変更部３１は、地図データから削除された投稿情報について、メモリ２５からも削除するようにしてもよい。
【００７３】
例えば、メモリ２５に投稿情報「2010/4/26  11:58:00、＃Inf、安全運転、山陽道○○インター付近、動画像なし、音声なし」にカテゴリ「お知らせ」、経過時間「2分」、表示手法「アイコン（吹き出し）、スカイブルー」が対応付けられて格納されているとする。この場合、表示変更部３１は、当該投稿情報を「吹き出し型のスカイブルー色のアイコン」の表示に変更する。
【００７４】
また、表示変更部３１は、「2010/4/26  11:15:00、＃XXX、楽しいよ〜、山口県○○、動画像なし、音声なし」にカテゴリ「−」、経過時間「−」、表示手法「−」が対応付けられて格納されているとする。この場合、表示変更部３１は、当該投稿情報を地図データから削除する。
【００７５】
なお、表示変更部３１は、地図生成部３０によって生成された地図データ上の投稿情報全てについて上記処理を実行する。したがって、表示変更部３１は、２００個の投稿情報が表示されている場合には、２００個の投稿情報それぞれについて、上記処理を実施してメモリ２５の更新および地図データ上の表示変更を実施する。
【００７６】
また、車載用表示装置１１を搭載する車両は動いているものであり、車両の現在位置は刻々と変化する。したがって、地図生成部３０と表示変更部３１は、車両の現在位置が変化するたびに、上述した処理を繰り返し実行する。その結果、車載機５０では、常に、車両の現在位置周辺の地図に投稿情報のアイコンが図示される地図データを表示することができる。なお、上述した処理はあくまで例であり、これに限定されるものではない。例えば、地図生成部３０は、地図サーバ３から取得した地図データに有効期限を付加して、メモリ等に格納しておき、地図サーバ３から取得する回数を減らすこともできる。
【００７７】
また、表示変更部３１は、ユーザによって表示を希望する「カテゴリ」が設定されている場合には、表示手法を決定した投稿情報のうちユーザが希望する「カテゴリ」と一致するカテゴリについてのみ表示させることもできる。つまり、表示変更部３１は、ユーザの設定に応じて、表示する投稿情報をフィルタリングすることができる。
【００７８】
図２に戻り、操作特定部３２は、車載機５０で受け付けられたユーザ操作がどのような操作であるかを特定する。具体的には、操作特定部３２は、車載機５０からユーザが操作した位置を示す座標を受信する。すると、操作特定部３２は、投稿連携起動部２８によって対応付けられた通信装置２０における座標と、車載機５０における座標とから、現在表示されている画面のどの部分が選択されたかを特定することで、ユーザの操作を特定する。そして、操作特定部３２は、情報編集部３３などに特定した操作内容や操作指示を出力する。例えば、操作特定部３２は、ユーザ操作が「投稿情報押下」である場合には、情報編集部３３に投稿情報の詳細表示指示やリスト表示指示などの操作指示を出力する。
【００７９】
また、操作特定部３２は、音声認識によってユーザ操作を特定することもできる。例えば、操作特定部３２は、ユーザが発声した音声信号をマイク２４を介して集音し、集音した音声信号を音声認識サーバ４に送信する。そして、操作特定部３２は、音声認識サーバ４から受信した認識結果が「投稿情報押下」である場合には、情報編集部３３に投稿情報の詳細表示指示やリスト表示指示などの操作指示を出力する。
【００８０】
情報編集部３３は、投稿情報の詳細内容を表示する操作を受け付けた場合には、投稿情報の詳細内容を表示する。すなわち、情報編集部３３は、表示変更部３１から車載機５０に送信され、車載機５０で表示される画像上でユーザが実施した操作に基づいて、操作されたデータを編集した新たなデータを生成して車載機５０に送信する。
【００８１】
例えば、情報編集部３３は、車載機５０に表示される地図データ上で、「投稿情報の押下」や「投稿情報の詳細ボタン押下」などの操作がされたことを操作特定部３２から受信する。すると、情報編集部３３は、操作された投稿情報に関する情報をツイッターサーバ１またはメモリ２５から取得し、取得した動画像データや音声データを車載機５０に出力する。このとき、情報編集部３３は、動画や音声を再生しつつ、車載機５０に出力してもよい。
【００８２】
また、情報編集部３３は、「投稿情報の押下」や「投稿情報の詳細ボタン押下」などの操作がされたことを操作特定部３２から受信した場合に、当該操作された投稿情報付近に他の投稿情報が存在するか否かを判定する。そして、情報編集部３３は、操作された投稿情報付近に他の投稿情報が存在する場合には、操作された投稿情報を含む他の投稿情報を含む全情報を並び替えて表示する。一例としては、情報編集部３３は、投稿された時間に基づいた時系列で並び替えた一覧、または、操作を受け付けた地図上の位置から近い順で並び替えた一覧、または、分類したカテゴリごとに並び替えた一覧を表示する。
【００８３】
（車載機の構成）
車載機５０は、入出力インタフェース５１と、表示パネル５２と、表示制御部５３と、音声制御部５４と、スピーカー５５と、コマンド制御部５６とを有する。なお、ここに示した各機能部は、あくまで例示であり、車載機５０の機能がこれに限定されるものではない。例えば、上記機能部以外にも、ナビゲーション機能等を有していてもよい。また、車載機５０は、車内の音声を集音するマイク５７や、車内や車外の動画像を撮影するカメラ５８を有していてもよい。
【００８４】
入出力インタフェース５１は、通信装置２０と連携接続するインタフェースであり、例えばＵＳＢなどの有線通信、赤外線やブルートゥース（登録商標）などの近距離無線通信などの通信で通信装置２０と接続する。例えば、入出力インタフェース５１は、投稿情報や地図データなどが圧縮されたＪＰＥＧ形式の画像データ、ＭＰＥＧ形式の動画データや音声データを通信装置２０から受信する。また、入出力インタフェース５１は、ユーザが操作した操作位置を示す座標などを通信装置２０に送信する。
【００８５】
表示パネル５２は、後述する表示制御部５３から入力された画像データを表示するディスプレイやタッチパネルである。表示制御部５３は、入出力インタフェース５１を介して、通信装置２０から受信した画像データを表示パネル５２に表示出力し、通信装置２０から受信した音声データを音声制御部５４に出力する。
【００８６】
音声制御部５４は、表示制御部５３から音声データを受信して保持し、表示パネル５２によって音声出力指示を受け付けた場合には、当該指示された音声を再生してスピーカー５５から出力する。コマンド制御部５６は、表示パネル５２上でユーザがタッチ（操作）した位置を特定し、入出力インタフェース５１を介して、特定した位置を示す座標を通信装置２０に送信する。
【００８７】
［画面例および画面遷移例］
次に、図６〜図９を用いて、通信装置２０が生成して車載機５０に表示される画面と、画面遷移例とを説明する。
【００８８】
まず、図６は、通信装置と車載装置との投稿連携における初期画面である。通信装置２０の投稿連携起動部２８は、入出力インタフェース２１と車載機５０とがＵＳＢなどで接続されたことを検出すると、図６に示す初期画面データを生成して車載機５０に送信する。そして、車載機５０の表示制御部５３は、受信した図６の画面を表示パネル５２に表示する。
【００８９】
車載機５０のコマンド制御部５６は、図６の（Ａ）に示した「TwitDrive」がユーザによって選択されると、選択された「TwitDrive」の位置を示す座標を通信装置２０に送信する。通信装置２０の操作特定部３２は、受信した座標から「TwitDrive」が選択されたことを特定し、投稿情報取得部２９に情報取得指示を出力する。なお、このとき、操作特定部３２は、ユーザ設定やフィルタリング設定ができるメインメニューを表示させてもよい。
【００９０】
その後、地図生成部３０は、ＧＰＳ２２によって自車両の位置を取得し、取得した自車両の位置に対応する地図データを地図サーバ３から取得する。そして、地図生成部３０は、自車両の周辺の地図データを「TwitDrive」の初期画面として車載機５０に送信し、車載機５０が表示パネル５２に出力する。
【００９１】
その後、表示変更部３１は、地図生成部３０によって生成された地図データ上の投稿情報の表示手法を変更させた新たな地図データである図７に示す画面を生成して、車載機５０に表示させる。図７は、通信装置と車載装置との投稿連携で表示される画面例である。具体的には、地図生成部３０は、地図データを拡大または縮小する操作を実行する（Ｂ）と、前回表示された地図データに戻る操作を実行する（Ｃ）とを地図データに付加する。さらに、地図生成部３０は、地図データに付加されている投稿情報の一覧を表示させる（Ｅ）と、メモリ２５やツイッターサーバ１に記憶される投稿情報（Ｄ）を地図データに付加する。
【００９２】
そして、表示変更部３１は、メモリ２５に記憶される「カテゴリ」と「経過時間」によって特定される「表示形式」に、地図生成部３０によって生成された地図データに表示される投稿情報を変更した新たな地図データを生成する。例えば、表示変更部３１は、投稿された投稿情報「渋滞中」のみを表示するように表示変更するとともに、「経過時間」が新しいものほど「明るく」表示されるように変更している。図７の場合、表示変更部３１は、（１）の投稿情報、（２）の投稿情報、（３）の投稿情報、（４）の投稿情報の順に、「暗く」なるように投稿情報を表示させている。つまり、（１）〜（４）の順に、投稿情報の「経過時間」が「長い」こととなる。
【００９３】
次に、図７に示した（Ｂ）、（Ｃ）、（Ｄ）、（Ｅ）について説明する。情報編集部３３は、車載機５０上で、図７の（Ｂ）に示される「＋」が選択されると、表示されている地図データを拡大した画面データを生成して車載機５０に送信し、車載機５０の表示制御部５３は、受信した拡大画面データを表示パネル５２に表示する。また、情報編集部３３は、図７の（Ｂ）に示される「−」が選択されると、表示されている地図データを縮小した画面データを生成して車載機５０に送信し、車載機５０の表示制御部５３は、受信した縮小画面データを表示パネル５２に表示する。
【００９４】
なお、拡大画面データや縮小画面データの生成手法としては、情報編集部３３が、表示されている画面データの拡大地図データや縮小地図データを地図サーバ３から取得し、取得した拡大地図データや縮小地図データに対して上述した手法と同様に、投稿情報を表示する画面データを生成して車載機５０に送信する。
【００９５】
また、情報編集部３３は、車載機５０上で、図７の（Ｃ）が選択されると、現在表示されている画像データの直前に表示されていた画像データを車載機５０に送信し、車載機５０の表示制御部５３は、受信した直前の画像データを表示パネル５２に表示する。直前に表示された画像データは、キャッシュなどに記憶しておくことで、簡単に再利用することができる。
【００９６】
また、情報編集部３３は、車載機５０上で、図７の（Ｄ）に示される投稿情報が選択されると、図８に示すような投稿情報の詳細情報を車載機５０に送信し、車載機５０の表示制御部５３は、受信した投稿情報の詳細情報を表示パネル５２に表示する。図８は、投稿情報の詳細情報を表示した例を示す図である。
【００９７】
具体的には、図８に示すように、情報編集部３３は、図７上で選択された投稿情報が有する動画像データや音声データ等をメモリ２５等から取得して車載機５０に送信し、車載機５０の表示制御部５３は、受信した直前の画像データを表示パネル５２に表示する。図８に示す画面では、選択された投稿情報のカテゴリ、当該投稿情報に付加される画像データ、当該投稿情報を投稿したユーザに関する情報、現在地からの距離などが詳細情報として表示される。
【００９８】
そして、情報編集部３３は、車載機５０上で、図８に示す「×」が選択されると、表示している詳細画面を閉じて図７の画面に戻る。また、情報編集部３３は、車載機５０上で、図８に示す「Ｇ」が選択されると、表示されている投稿情報付近の他の投稿情報の詳細情報を順に生成して車載機５０に送信する。また、通信装置２０や車載機５０がカーナビ機能を有している場合、情報編集部３３は、図８に示す画面上で「ＧＯ」が選択されると、表示している投稿情報までの道案内を開始する。
【００９９】
図７に戻り、情報編集部３３は、車載機５０上で、図７の（Ｅ）が選択されると、現在の地図データ上に表示される投稿情報の一覧を車載機５０に送信し、車載機５０の表示制御部５３は、受信した投稿情報の一覧を表示パネル５２に表示する。図９は、投稿情報の一覧を表示した例を示す図である。
【０１００】
具体的には、情報編集部３３は、図９に示すように、現在の地図データ上に表示される投稿情報それぞれを図３に示したカテゴリ「交通、天気、シーン、カスタム、お知らせ」ごとに並び替え、カテゴリが選択可能なタグを設けた画面データを生成する。図９に示す画面では、カテゴリが選択可能なタグが設けられ、選択されたタグのカテゴリに属する投稿情報の一覧が表示される。この投稿情報一覧では、各投稿情報が現在位置からどの位置で投稿されたかを示す距離も表示される。また、各カテゴリごとに、どの投稿情報を表示するかを選択することができる操作ボタンも表示される。図９の場合、カテゴリ「交通」の「渋滞中、抜け道、駐車ＯＫ」が選択されているので、これらのみの一覧が表示される。さらに、情報編集部３３は、図９の（Ｈ）が選択されると、選択された方向に表示される一覧をスクロールさせる。
【０１０１】
［処理の流れ］
次に、図１０〜図１２を用いて、車載用表示装置における処理の流れを説明する。図１０は、通信装置における投稿連携開始処理の流れを示すフローチャートであり、図１１は、通信装置における投稿情報表示処理の流れを示すフローチャートである。図１２は、通信装置における投稿情報選択時の処理の流れを示すフローチャートである。
【０１０２】
（投稿連携開始処理の流れ）
図１０に示すように、投稿連携起動部２８は、入出力インタフェース２１と車載機５０とがＵＳＢなどで接続されて投稿連携が起動されたことを検出すると（ステップＳ１０１肯定）、車載機５０との接続を確立する（ステップＳ１０２）。
【０１０３】
その後、投稿連携起動部２８は、操作特定部３２によって車載機５０上で投稿連携終了操作がされたことが特定されると（ステップＳ１０３肯定）、車載機５０との通信を切断して処理を終了する（ステップＳ１０４）。
【０１０４】
また、投稿連携起動部２８は、操作特定部３２によって車載機５０上で投稿連携終了操作がされたことが特定されるまでは（ステップＳ１０３否定）、図１１や図１２で説明する各種処理を実行する（ステップＳ１０５）。
【０１０５】
（投稿情報表示処理の流れ）
図１１に示すように、投稿情報取得部２９は、投稿情報取得契機に到達すると（ステップＳ２０１肯定）、ツイッターサーバ１から所望の投稿情報を取得する（ステップＳ２０２）。
【０１０６】
続いて、地図生成部３０は、投稿情報取得部２９によって投稿情報とともに取得された位置情報によって特定される位置に、投稿情報を表示させた地図データを生成する（ステップＳ２０３）。このとき、地図生成部３０は、メモリ２５に格納される投稿情報のうち、「タグ」が「＊＊＊−arc（＊＊＊は任意）」となっている投稿情報を他のＤＢ等に格納するようにしてもよい。
【０１０７】
その後、表示変更部３１は、地図生成部３０によって生成された地図データに表示される投稿情報について、経過時間と当該投稿情報が属するカテゴリとに基づいて決定された表示手法にしたがって、地図データ上に表示させている投稿情報の表示を変更する（ステップＳ２０４）。
【０１０８】
さらに、表示変更部３１は、表示対象とする投稿情報を特定するフィルタリングが設定されている場合には（ステップＳ２０５肯定）、地図データに表示される投稿情報をフィルタリングする（ステップＳ２０６）。そして、表示変更部３１は、フィルタリングされた投稿情報に対してのみが表示されている新たな地図データを生成して車載機５０に送信し、車載機５０の表示パネル５２に地図データが表示される（ステップＳ２０７）。
【０１０９】
一方、表示変更部３１は、フィルタリングが設定されていない場合には（ステップＳ２０５否定）、ステップＳ２０８の処理を実行する。すなわち、表示変更部３１は、ステップＳ２０４で表示手法が決定された投稿情報を表示した地図データを生成して車載機５０に送信し、車載機５０の表示パネル５２に地図データが表示される。なお、ステップＳ２０７またはステップＳ２０８の後は、ステップＳ２０１に戻って以降の処理が実行される。
【０１１０】
（投稿情報選択時の処理の流れ）
図１２に示すように、情報編集部３３は、車載機５０で受け付けられたユーザ操作が操作特定部３２によって特定されると（ステップＳ３０１肯定）、特定された操作が投稿情報の選択であるか否かを判定する（ステップＳ３０２）。
【０１１１】
続いて、情報編集部３３は、特定された操作が投稿情報の選択である場合（ステップＳ３０２肯定）、選択された位置に複数の投稿情報が存在するか否かを判定する（ステップＳ３０３）。
【０１１２】
そして、情報編集部３３は、選択された位置に複数の投稿情報が存在する場合（ステップＳ３０３肯定）、当該複数の投稿情報を並び替えた画像データを生成して車載機５０に表示する（ステップＳ３０４）。例えば、情報編集部３３は、図８に示したように、１つの投稿情報の詳細情報を表示した上でスクロールできるように表示する。また、情報編集部３３は、図９に示すように、現在の地図データ上に表示される投稿情報それぞれを図３に示したカテゴリ「交通、天気、シーン、カスタム、お知らせ」ごとに並び替え、カテゴリが選択可能なタグを設けて表示する。
【０１１３】
一方、情報編集部３３は、選択された位置に複数の投稿情報が存在しない場合（ステップＳ３０３否定）、選択された投稿情報のみ詳細情報を表示する画像データを生成して車載機５０に表示する（ステップＳ３０５）。
【０１１４】
また、ステップＳ３０２において、情報編集部３３は、特定された操作が投稿情報の選択でない場合（ステップＳ３０２否定）、選択された処理に応じた処理を実行する（ステップＳ３０６）。例えば、図７を用いて説明したように、情報編集部３３は、前回画面に戻ったり、拡大／縮小を実行したり、メインメニューに戻ったりする。なお、ステップＳ３０４、ステップＳ３０５、ステップＳ３０６の後は、ステップＳ３０１に戻って以降の処理が実行される。
【０１１５】
［実施例１による効果］
このように、実施例１によれば、リアルタイムに投稿されるツイッターなどの投稿情報を「カテゴリ」と「経過時間」とに基づいて表示手法を変えて、地図データに表示させることができる。したがって、安全運転を阻害することなく、車載機５０に表示された投稿情報の内容を一見して把握することか可能である。
【０１１６】
また、リアルタイム性の求められる情報とアーカイブしたい情報とを整理し、情報の特定に応じてユーザ提示の仕方を変更することができる。例えば、リアルタイム性の求められるものは、時間経過とともにアイコン（吹き出し）の色や形状を変更させて、最後には消滅させることができる。この結果、ユーザが欲する情報をリアルタイムに収集でき、複雑な操作を求めることなく、有益な情報を提供できる。
【０１１７】
さらに、ツイッター（登録商標）などの特徴である「気軽にリアルタイムな情報発信」に着目しつつ、ドライブの楽しさ、快適さ、運転中に誰かとつながっているという安心感を与えることができるとともに、リアルタイムな情報取得によっても安全運転をサポートできる。
【実施例２】
【０１１８】
本願の開示する通信装置２０は、実施例１で説明した「カテゴリ」と「経過時間」とに基づいた「表示手法」の変更以外にも、様々な手法で「表示手法」を変更することができる。
【０１１９】
（投稿情報の数）
例えば、表示変更部３１は、地図生成部３０によって生成された地図データの各位置における投稿情報の表示数に基づいて、表示手法を変更することもできる。一例としては、表示変更部３１は、地図生成部３０によって生成された地図データの所定位置（例えば、○○１丁目など）に表示される投稿情報の数が所定数（例えば、１０）以上であるか否かを判定する。そして、表示変更部３１は、所定数以上の場合には、当該位置に全ての投稿情報を表示せずに、「投稿情報＝１０」など大きなアイコンで表示させることもできる。この結果、ユーザは、投稿情報が多く投稿されている地点を一見して把握することができる。
【０１２０】
また、表示変更部３１は、地図生成部３０によって生成された地図データの所定位置から半径１ｋｍ以内に表示される投稿情報の数が所定数（例えば、１０）以上であるか否かを判定するようにしてもよい。つまり、表示変更部３１は、ある地点における投稿情報の数だけでなく、ある地域における投稿情報の数に応じても、表示手法を変更することもできる。
【０１２１】
（投稿情報の連続投稿回数）
例えば、表示変更部３１は、地図生成部３０によって以前に生成された地図データから投稿情報が連続して表示される回数に基づいて、表示手法を変更することもできる。一例としては、表示変更部３１は、以前に車載機５０に送信した地図データ各々と、今回車載機５０に送信する地図データとを比較し、投稿情報が所定回数連続して表示されている地点があるか否かを判定する。そして、表示変更部３１は、所定回数連続して表示されている地点がある場合、今回生成した地図データにおけるその地点の投稿情報の枠を太くしたり、連続表示回数を表示したりする。この結果、ユーザは、連続して投稿されている地点を一見して把握することができる。
【０１２２】
（反応状況）
例えば、表示変更部３１は、地図生成部３０によって生成された地図データに表示される投稿情報に対する反応状況に基づいて、表示手法を変更することもできる。一例としては、投稿情報にツイッター（登録商標）などを用いた場合、当該投稿情報の閲覧回数、当該投稿情報に対する返信回数などを計数することができる。したがって、表示変更部３１は、車載機５０に送信した地図データ上の投稿情報それぞれについて、閲覧回数や返信回数などを計数する。そして、表示変更部３１は、閲覧回数や返信回数が所定数以上になった投稿情報の表示形式を「点滅」させたり、大きくしたりするなど、一見してわかるように変更する。この結果、ユーザは、他ユーザが興味を示す投稿情報を一見して把握することができる。
【０１２３】
（その他）
例えば、表示変更部３１は、自装置が搭載される自車両の位置、現在時刻、現在の天気、現在の季節、自車両の運転者に関する各種情報を示すプロフィールなどに基づいて、表示手法を変更することもできる。一例としては、表示変更部３１は、自車両の位置が「九州」である場合には、他の地方に関する投稿情報や「雪」など車両の現在位置とは関係性の低い投稿情報を表示させないようにすることもできる。また、表示変更部３１は、現在時刻が「朝（6:00−12:00）」である場合に、夕焼けがキレイなどの「朝」とは一致しない投稿情報を表示させないようにすることもできる。また、表示変更部３１は、現在の天気が「晴れ」である場合に、「晴れ」などの不要な投稿情報を表示させず、「雨」など現在の天気とは異なる天気の投稿情報を表示させることもできる。
【０１２４】
また、表示変更部３１は、現在の季節が「夏」である場合に、「豪雪」や「紅葉」など「夏」とは関係性が低い投稿情報を表示させないようにすることもできる。また、表示変更部３１は、ユーザの趣味、指定されたカテゴリなどを示すプロフィールと一致する投稿情報のみを表示させることもできる。なお、各投稿情報の判断は、投稿情報の内容から判定することができる。
【０１２５】
これら以外にも、例えば投稿情報としてツイッター（登録商標）を用いた場合、フォローしているユーザの投稿情報や自分の投稿情報を他の投稿情報と区別して表示することもできる。一例としては、フォローしているユーザの投稿情報や自分の投稿情報を太い枠で表示し、他の投稿情報を細い枠で表示することもできる。
【実施例３】
【０１２６】
実施例１では、車載用表示装置が地図データを有していない例について説明したが、これに限定されるものではなく、車載用表示装置が地図データを有していてもよい。そこで、実施例３では、車載用表示装置が地図データを有している場合の例について説明する。
【０１２７】
図１３は、実施例３にかかる車載用表示装置を含むシステムの全体構成を示す図である。図１３に示すように、このシステムは、ツイッターサーバ１と音声合成サーバ２と音声認識サーバ４と、自動車等の車内１００に設置される車載用表示装置１１０とを有する。ツイッターサーバ１と音声合成サーバ２と音声認識サーバ４とは、実施例１と同様の機能を有するので、詳細な説明は省略する。
【０１２８】
車載用表示装置１１０は、車内１００に設置される装置であり、通信装置２００と車載機５００とを有する。なお、車載用表示装置１１０は、通信装置２００と車載機５００とが別々の筐体で実現されている例を図示しているが、これに限定されるものではなく、例えば通信装置２００と車載機５００とが１つの筐体で実現されていてもよい。
【０１２９】
通信装置２００は、実施例１の通信装置２０と同様、Ｗｅｂやインターネットに接続可能な携帯電話、パーソナルコンピュータ、スマートフォンなどの通信装置であり、無線通信やＵＳＢなどを用いて車載機５００と接続される。この通信装置２０は、投稿情報、音声データなどを車載機５００に出力し、車載機５００のタッチパネル等でユーザが操作した内容にしたがって各種処理を実行する。
【０１３０】
この通信装置２００が有する投稿情報取得、投稿連携、情報編集、操作特定などの各機能は、図２で説明した通信装置２０と同様なので、詳細な説明は省略する。特に、通信装置２００が実施例１の通信装置２０と異なる点は、投稿情報を付加する地図データを地図サーバ３からではなく、車載機５００から取得する点である。また、通信装置２００は、ユーザが操作した操作位置を示す座標を車載機５００から取得し、取得した座標によって操作内容を特定することもでき、通信装置２００は、ユーザが操作した操作位置を示す緯度と経度とを車載機５００から取得し、取得した緯度と経度によって操作内容を特定することもできる。
【０１３１】
なお、通信装置２００は、投稿情報と位置情報を車載機５００に送信し、車載機５００が、位置情報から投稿位置を特定し、特定した地図データ上に投稿情報を表示させてもよい。
【０１３２】
車載機５００は、タッチパネルやディスプレイなどの液晶モニタを有するとともに、表示機能やオーディオ再生機能、携帯端末との通信機能といった基礎的な機能を有する。実施例１と異なる点は、車載機５００がナビゲーション部６００を有する点である。すなわち、実施例３にかかる車載機５００は、地図データおよび経路案内機能を有する。
【０１３３】
この車載機５００が有する表示制御、コマンド制御、音声制御などの各機能は、図２で説明した車載機５０と同様なので、詳細な説明は省略する。特に、車載機５００が実施例１の車載機５０と異なるナビゲーション部６００は、ＤＶＤ（Digital  Versatile  Disc）やＨＤＤ（Hard  Disk  Drive）など記憶媒体に地図データを有する。そして、ナビゲーション部６００は、目的地の入力を受け付けると、現在位置から目的地までの走行ルートを表示パネルに表示できる。
【０１３４】
また、ナビゲーション部６００は、表示パネル上でユーザの操作を受け付けた場合に、当該操作位置を示す座標または緯度と経度とを通信装置２００に送信する。さらに、ナビゲーション部６００は、通信装置２００からの要求に応じて、所望の位置が表示される地図データを通信装置２００に送信し、通信装置２００から受け付けた画像データを表示パネルに表示する。また、ナビゲーション部６００は、通信装置２００から投稿情報と投稿位置とを受信した場合には、投稿位置に投稿情報を付加した地図データを生成することもできる。
【０１３５】
さらに、ナビゲーション部６００は、表示パネルに表示される地図データ上の投稿情報が選択された場合には、当該選択された投稿情報を目的地とした走行ルートを案内することもできる。
【実施例４】
【０１３６】
さて、これまで開示する車載用表示装置の実施例について説明したが、本願は上述した実施例以外にも、種々の異なる形態にて実施されてよいものである。そこで、以下に異なる実施例を説明する。
【０１３７】
（地図データ）
上記実施例では、通信装置２０は、自車両が中心にくる地図データを生成する例について説明したが、これに限定されるものではなく、任意の位置を中心にすることができる。その場合、自車両の位置を確認できる「ボタン」などを地図データ上に表示させることもできる。
【０１３８】
（カテゴリ「カスタム」の使用例）
例えば、実施例で説明した「カスタム」カテゴリは、ツイッター（登録商標）でいうフォロアー間、言い換えると、ユーザが指定した他ユーザとの間のみ共有する情報として用いることもできる。こうすることで、複数台でドライブなどを行った場合、一緒にドライブをしているユーザ同士のみで投稿情報をやり取りすることができる。これにより、他のユーザからの投稿により、指定ユーザからの投稿が埋もれてしまわないようにできる。
【０１３９】
（アーカイブ）
実施例１で説明したアーカイブ条件は、任意に設定変更することができるので、例えば、削除対象となった投稿情報をアーカイブするだけでなく、ユーザが半永久的に保存しておきたいと個別に指定した投稿情報をアーカイブすることもできる。なお、アーカイブ条件だけでなく、カテゴリＤＢ等に記憶される各種条件についても任意に設定変更することができる。
【０１４０】
（表示レートの変更）
例えば、通信装置２０は、地図データ上に所定数以上の投稿情報が表示されている場合には、投稿情報の表示数が所定数未満になるように、地図データに表示させると決定する経過時間の閾値を変更する。一例としては、「経過時間」が「１２時間以内」の投稿情報を地図データに表示させている場合に、地図データに表示される投稿情報の数が所定数（例えば、５０）以上になったとする。この場合、通信装置２０は、「経過時間」が「６時間以内」のみ投稿情報を表示させるように、経過時間の閾値を変更することができる。また、通信装置２０は、地図データに表示される投稿情報の数が所定数（例えば、５０）未満になるように、表示対象とする「経過時間」を動的に変更することもできる。
【０１４１】
（ナビアプリとの連携）
例えば、通信装置２０または車載機５０がナビゲーションすることのできるアプリケーションを有している場合には、通信装置２０によって表示される地図データ上の投稿情報が選択された場合に、自車両の現在位置から当該選択された投稿情報までの走行経路を自車両の運転者にナビゲーションすることもできる。
【０１４２】
（音声認識）
例えば、上述した操作特定部３２などが実施する音声認識は、通信装置２０のマイク２４を用いて実施してもよく、車載機５０のマイク５７を用いてもよい。つまり、音声信号を受け付けるのは、通信装置２０でも車載機５０でもよく、どちらで受け付けた場合も、上述したように、音声認識サーバ４を用いて音声認識が実行される。また、通信装置２０や車載機５０が、音声認識エンジン（アプリケーション）を有する場合には、音声認識サーバ４を用いることなく、車載用表示装置１１内で音声認識を実行してもよい。
【０１４３】
（システム）
また、図示した各装置の各構成要素は機能概念的なものであり、必ずしも物理的に図示の如く構成されていることを要しない。例えば、各装置の分散・統合の具体的形態は図示のものに限られない。その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵなどのプロセッサおよび当該プロセッサにて解析実行されるプログラムにて実現され、あるいは、ワイヤードロジックによるハードウェアとして実現され得る。
【０１４４】
例えば、車載用表示装置１１は、通信装置２０と車載機５０とを有して構成される例について説明したが、これに限定されるものではない。例えば、車載機５０が通信装置２０の機能を有していてもよい。
【０１４５】
（プログラム）
なお、本実施例で説明した投稿情報連携方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１４６】
以上のように、本願の開示する車載用表示装置および表示方法は、ユーザが投稿した投稿情報を表示するのに有用であり、特に、安全運転を阻害することなく、車載装置に表示された投稿情報の内容を一見して把握することに適している。
【符号の説明】
【０１４７】
１  ツイッターサーバ
１ａ  カテゴリＤＢ
１ｂ  投稿情報ＤＢ
１ｃ  アーカイブＤＢ
１ｄ  投稿情報制御部
２  音声合成サーバ
３  地図サーバ
１０  車内
２０  通信装置
２１  入出力インタフェース
２２  ＧＰＳ
２３  カメラ
２４  マイク
２５  メモリ
２８  投稿連携起動部
２９  投稿情報取得部
３０  地図生成部
３１  表示変更部
３２  操作特定部
３３  情報編集部
５０  車載機
５１  入出力インタフェース
５２  表示パネル
５３  表示制御部
５４  音声制御部
５５  スピーカー
５６  コマンド制御部
５７  マイク
５８  カメラ
【図１】
2011247832.tif 000003
【図２】
2011247832.tif 000004
【図３】
2011247832.tif 000005
【図４】
2011247832.tif 000006
【図５】
2011247832.tif 000007
【図６】
2011247832.tif 000008
【図７】
2011247832.tif 000009
【図８】
2011247832.tif 000010
【図９】
2011247832.tif 000011
【図１０】
2011247832.tif 000012
【図１１】
2011247832.tif 000013
【図１２】
2011247832.tif 000014
【図１３】
2011247832.tif 000015